(57)【要約】      （修正有）【課題】衛生的で、悪臭や変色、色抜けの恐れがないフローリング用化粧材を提供する。【解決手段】フローリング用化粧材は、上層から表面層、クッション層および基材層の少なくとも３層からなる積層体であって、表面層が合成レザーであり、基材層が粘着層及び離型紙である。【選択図】図１
0003166602.tif 000002
【実用新案登録請求の範囲】
【請求項１】
上層から表面層、クッション層および基材層の少なくとも三層からなる一体的な積層体であって、
上記表面層が合成レザーであり、
上記基材層が粘着層及び離型紙であることを特徴とするフローリング用化粧材。
【請求項２】
請求項１に記載のフローリング用化粧材であって、
前記クッション層がポリオレフィン樹脂に無機微粉末を配合して発泡させたものであることを特徴とするフローリング用化粧材。
【請求項３】
請求項２に記載のフローリング用化粧材であって、
前記ポリオレフィン樹脂がポリエチレンであることを特徴とするフローリング用化粧材。
【請求項４】
請求項２又は請求項３に記載のフローリング用化粧材であって、
前記無機微粉末が炭酸カルシウムであることを特徴とするフローリング用化粧材。
【請求項５】
請求項１ないし請求項４のいずれかの項に記載のフローリング用化粧材であって、
前記クッション層の両面に不織布が積層されたことを特徴とするフローリング用化粧材。
【請求項６】
請求項1ないし請求項５のいずれかの項に記載のフローリング用化粧材であって、
前記表面層に、抗菌剤、防カビ剤、消臭剤のいずれか1種以上が含有されていることを特徴とするフローリング用化粧材。
【請求項７】
請求項１ないし請求項６のいずれかの項に記載のフローリング用化粧材であって、
前記表面層の表面に、凹凸模様が設けられていることを特徴とするフローリング用化粧材。
【請求項８】
請求項１ないし請求項７のいずれかの項に記載のフローリング用化粧材であって、
前記表面層／クッション層／基材層の厚み比率が、０．２〜０．５：１：０．０５〜０．１であることを特徴とするフローリング用化粧材。
【請求項９】
請求項１ないし請求項８のいずれかの項に記載のフローリング用化粧材であって、
ペット用に使用することを特徴とするフローリング用化粧材。
【請求項１０】
請求項１ないし請求項９のいずれかの項に記載のフローリング用化粧材であって、
少なくとも一辺に凹凸等の嵌合部を形成することを特徴とするフローリング用化粧材。
【考案の詳細な説明】
【技術分野】
【０００１】
本考案は、フローリング用化粧材に関する
【背景技術】
【０００２】
従来のフローリング材としては、ラワン等の長尺状木材から成り、表面を化粧処理した単板を床下地材上に並べ、隣接する単板の側面に形成した凸部と凹部（実加工またはＶ溝加工）同士を嵌合して敷き詰めたものが主流である。
【先行技術文献】
【特許文献】
【０００３】
【特許文献１】実開平５−５８７４４号公開実用新案公報
【考案の概要】
【考案が解決しようとする課題】
【０００４】
上記従来のフローリング材は、上記実加工またはＶ溝加工の嵌合敷設であるため、隣接フローリング材間の隙間から、愛犬（ペット）などの「よだれ」や「小水（アンモニア）」が下地に漏洩し、不衛生で悪臭を発生させたり、フローリング材が変色や色抜けする等の問題点があった。
【０００５】
本考案は、上記従来のフローリング材の問題点を解決するためになされたもので、その目的とするところは、不衛生で悪臭を発生させたり、変色や色抜けする恐れのないフローリング用化粧材を提供することにある。
【課題を解決するための手段】
【０００６】
本考案のフローリング用化粧材は、表面層、クッション層、基材層の少なくとも3層からなる積層体であって、上記表面層が合成レザーであり、上記基材層が粘着層及び離型紙であることを特徴とする。
【考案の効果】
【０００７】
本考案のフローリング用化粧材は、下記の効果を有する。
１）不衛生で悪臭を発生させたり、変色や色抜けする恐れがない。
２）すべり難くて、クッション性があるため、愛犬（ペット）などの四岐への負担が少ない。
３）愛犬（ペット）などの爪が強くあたっても、キズが付き難い。
４）食べこぼしや抜け毛など簡単に掃除できる。
５）有機・無機系の抗菌剤、防カビ剤、消臭剤などを表面に練り込むことにより、長期にわたって効果が持続する。
６）凹凸模様や色彩を多種多様にデザイン可能である。
【図面の簡単な説明】
【０００８】
【図１】本考案のフローリング用化粧材の実施例を示す断面図である。
【図２】本考案のフローリング用化粧材の一実施例を示す写真である。
【図３】本考案のフローリング用化粧材の別の実施例を示す写真である。
【図４】フローリング用化粧材の嵌合例を示す平面図である。
【考案を実施するための形態】
【０００９】
以下、本考案の実施例について、図面を参照しながら説明する。
【実施例】
【００１０】
図１は、フローリング用化粧材の一実施例の断面図を示すもので、１は合成レザーから成る表面層、２はクッション層、３は粘着層及び離型紙から成る基材層であって、上層から表面層１、クッション層２および基材層３の三層から成る積層体として一体的に構成されている。
【００１１】
上記表面層１の合成レザーは、ポリ塩化ビニル、ポリエチレン、ポリエチレンテレフタレート、ポリプロピレン、ポリアミド、ポリカーボネートなどの熱可塑性樹脂から形成されていて、変色や色抜けする恐れがなく、また、キズが付き難い。
【００１２】
該表面層１には、抗菌剤、防カビ剤、消臭剤のいずれか1種以上が含有されていて、長期にわたって除菌・防カビ・消臭等の効果を発揮することができ、犬・猫などのペット用や、介護福祉施設等のフローリング用化粧材として使用することができる。
該抗菌剤としては、例えば、有機系抗菌剤としてピリジン系抗菌剤やイミダゾール系抗菌剤が挙げられる。イミダゾール系抗菌剤は、特に、ベンゾイミダゾール環にチアゾリル基を有するものと、ベンゾイミダゾール環にカーバメート基を有するものと、を併用することが、顕著な相乗効果が得られることから好ましい。
チアゾリル基を有するものとして、２−（４−チアゾリル）−１Ｈ−ベンゾイミダゾール（チアベンダゾール：Thiabendazole(ＴＢＺ)）などが例示できる。また、カーバメート基を有するものとして、メチル−２−ベンゾイミダゾールカルバミン酸メチル（カルベンダジム：Carbendazim(ＢＣＭ)）、エチル−２−ベンゾイミダゾールカルバミン酸メチルなどが例示できる。特に、２−（４−チアゾリル）−１Ｈ−ベンゾイミダゾールと、２−ベンゾイミダゾールカルバミン酸メチルとは、熱的安定性が比較的に高く、特に樹脂成形体として利用することが容易であり、また例えばグレープフルーツやオレンジ、バナナなどの防かび剤（食品添加物）としても既に利用され、人体への影響が比較的に小さい材料として確認されたものであることから、特に好ましい。
無機系抗菌剤としては亜酸化銅、銅粉、チオシアン酸銅、炭酸銅、塩化銅、硫酸銅、酸化亜鉛、硫酸亜鉛、硫酸ニッケル、銅−ニッケル合金などの無機金属化合物や、リン酸ジルコニウム、金属を担持したゼオライト、またはその塩であるリン酸ジルコニウムなどを使用することができる。特に、金属として銀または銅を担持したリン酸ジルコニウムが好ましく、より好ましくは抗菌性の高い銀系抗菌剤である銀を担持したリン酸ジルコニウムを使用する。なお、銀系抗菌剤としては、担持した形態に限らず、金属単体の銀なども対象とすることができる。
有機系抗菌剤と無機系抗菌剤は併用してもよく、たとえば、イミダゾール系抗菌剤から選ばれた少なくとも２種と、無機系抗菌剤と、からなる抗菌剤が好ましい。
該防カビ剤としては、例えば、２−（４−チアゾリル）−１Ｈ−ベンゾイミダゾール（チアベンダゾール：Thiabendazole(ＴＢＺ)）、メチル−２−ベンゾイミダゾールカルバミン酸メチル（カルベンダジム：Carbendazim(ＢＣＭ)）、クロルキシレノール、３−ヨード−２−プロピルブチルカーバメート（IPBC）などが挙げられる。該消臭剤としては、例えば、活性炭、ゼオライト、アルミノシリケート等が挙げられる。
【００１３】
上記表面層１の表面には、例えば、図２に示すような畳模様や、図３に示すような木皮模様などの凹凸模様を形成する。該凹凸模様は、例えば、上記合成レザー表面に所望の凹凸模様を刻設したエンボスロールによる加工により成形され、多種多様にデザイン可能である。合成レザーの色彩は、上記凹凸模様に応じて適宜選択される。すなわち、図２の畳表の凹凸模様ではイ草色が、図３の木皮状凹凸模様では茶系色が施されている。
【００１４】
上記クッション層２は、ポリオレフィン樹脂に無機微粉末を配合して発泡させたものである。該ポリオレフィン樹脂は、例えば、ポリエチレンである。また、該無機微粉末は、例えば、炭酸カルシウムである。上記ポリエチレンおよび炭酸カルシウムの発泡体を用いることにより、寸法変化率やクッション性等を良くすることができる。
【００１５】
さらに、上記クッション層２の両面には、不織布を積層してもよい。該不織布は、例えばポリエステルフィラメント糸などの合成繊維により形成される。該不織布２は、合成ゴム系接着剤などにより、上記合成レザーの裏面に一体的に貼付けられる。該不織布により、形状安定性、そり防止機能、接着性等が向上する。
【００１６】
上記基材層３を粘着層及び離型紙とすることにより、施工を容易にすることができる。
なお、本実施例のフローリング用化粧材の厚みとしては、例えば、５〜１０ｍｍが好ましい。また、上記表面層１／クッション層２／基材層３の厚み比率は、０．２〜０．５：１：０．０５〜０．１が好ましい。
【００１７】
本実施例のフローリング用化粧材の大きさ（広さ）としては、例えば、一辺が４５０ｍｍ〜９００ｍｍの正方形あるいは長辺が９００ｍｍ〜１０００ｍｍで短辺が長辺の１／２の長方形などが好ましいが、これに限定するものではない。
また、図４に示すように、フローリング用化粧材の周辺に凹凸等の嵌合部４を形成して、隣接する化粧材同士が正確かつ強固に嵌合できるようにするのが好ましい。凹凸の形状はこれに限定するものではない。なお、部屋（室）の床の周縁側に位置する辺には、上記嵌合部４を設けない。
【符号の説明】
【００１８】
１  表面層
２  クッション層
３  基材層
４  嵌合部
【図１】
0003166602.tif 000003
【図２】
0003166602.tif 000004
【図３】
0003166602.tif 000005
【図４】
0003166602.tif 000006